(57)【要約】      （修正有）【課題】  大型のディスプレイを搭載した撮像装置において、操作部材を操作性が良好なように配置する。【解決手段】  記録モードでは、ズームボタン、レリーズスイッチを上にした状態で背面ディスプレイが上下正しく表示される。この時、送りボタン、ストロボボタン、ドライブボタン、フォーカスボタン、撮影メニューボタン、撮影ＳＥＴボタンはグリップ側（右）もなるよう配される。再生モードでは、記録時と上下逆にして使用する。この時、再生用電源ボタンが上面に、ズームボタン、画像送りボタン、画像消去ボタン、再生メニューボタン、再生ＳＥＴボタンがグリップ側（右）になるよう配される。記録モード操作部材と再生モード操作部材はディスプレイ面の中心に対して略対称な位置に配されている。【選択図】  図１
2007329657.tif 000002
【特許請求の範囲】
【請求項１】
撮影光学系とディスプレイと複数の操作部材を備えた撮像装置であって、
ディスプレイ面の中心に対して略対称な位置にそれぞれ異なる動作モードで使用される操作部材を配置したことを特徴とする撮像装置。
【請求項２】
撮影光学系とディスプレイと複数の操作部材を備えた撮像装置であって、
ディスプレイ面の中心に対して対称な側面にそれぞれ異なる動作モードで使用される操作部材を配置したことを特徴とする撮像装置。
【請求項３】
動作モードに対応して、使用される姿勢が変更されることを特徴とする請求項第１項および請求項第２項記載の撮像装置。
【請求項４】
動作モードに対応して、ディスプレイの表示方向を変更することを特徴とする請求項第３項記載の撮像装置。
【請求項５】
該当動作モード時に使用される操作部材は、少なくともグリップ側に配置されていることを特徴とする請求項第３項記載の撮像装置。
【請求項６】
該当動作モード時に使用される操作部材は、少なくとも上面に配置されていることを特徴とする請求項第３項記載の撮像装置。
【請求項７】
異なる動作モードは、記録モードおよび再生モードであることを特徴とする請求項第１項〜請求項第６項記載の撮像装置。
【請求項８】
記録モード時は、ストロボが撮影光学系光軸より上方に位置する姿勢であることを特徴とする請求項第７項記載の撮像装置。
【請求項９】
記録モード時は、三脚ネジが下面に位置する姿勢であることを特徴とする請求項第７項記載の撮像装置。
【請求項１０】
同じ機能を有する操作部材を、異なる動作モードに対応して複数配置することを特徴とする請求項第１項〜請求項第６項記載の撮像装置。
【請求項１１】
同じ機能を有する複数の操作部材で、
該当する動作モードに対応する操作部材以外の操作を無効とすることを特徴とする請求項第１０項記載の撮像装置。
【請求項１２】
同機能の操作部材は、電源スイッチであることを特徴とする請求項第１０項および請求項第１１項記載の撮像装置。
【請求項１３】
同機能の操作部材は、ズームスイッチであることを特徴とする請求項第１０項および請求項第１１項記載の撮像装置。
【請求項１４】
撮像装置の起動時に操作された操作部材に応じて、起動時の動作モードを決定することを特徴とする請求項第１項および請求項第２項記載の撮像装置。
【請求項１５】
撮像装置の姿勢を検出する姿勢検出手段を有し、
撮像装置の起動時の姿勢に応じて、起動時の動作モードを決定することを特徴とする請求項第３項記載の撮像装置。
【発明の詳細な説明】
【技術分野】
【０００１】
本発明は、大型表示手段を備えた撮像装置の操作部材の配置に関する。
【背景技術】
【０００２】
近年のデジタルカメラをはじめとする撮像装置においては、本体の小型化が進む一方、カメラ背面に配置されるＬＣＤ等の表示部の大画面化が進行している。そのため、カメラ背面に占めるディスプレイの面積の割合が増え、従来、カメラ背面に配置されてきた各種操作部材の配置場所が減るとともに、良好な位置に操作部材を配置することが困難になってきている。そこで、特許文献１のようにカメラの上面、あるいは側面に操作部材を配置したものがある。
【特許文献１】特開２００４−１７０５７０号公報
【発明の開示】
【発明が解決しようとする課題】
【０００３】
しかしながら、特許文献1に示す操作部材の配置では、記録モードと再生モードという操作の違うモードでボタンを兼用するためにディスプレイにボタンの機能を表示させるため、ディスプレイの表示と操作ボタンの位置を合わせる必要があり、必ずしも操作性の良好な位置に操作部材を配置することができない。
【課題を解決するための手段】
【０００４】
そこで本発明では大型表示手段を備えた撮像装置において、スペース効率に優れ、操作性が良好で誤操作のない操作系を提供することを目的とする。
【０００５】
上記の目的を達成するために、本発明では、ディスプレイと複数の操作ボタン類を備えた撮像装置において、ディスプレイ面の中心に対して略対称な位置に記録系操作部材と再生系操作部材をそれぞれ配置することで、上記目的を達成する。
【発明の効果】
【０００６】
本発明によれば操作部材を効率よく配置できるとともに、操作性の良い撮像装置を提供することができる。
【発明を実施するための最良の形態】
【０００７】
（実施例１）
図１から図３に本実施例を適用したデジタルカメラを示す。
【０００８】
図１はデジタルカメラの斜視図、図２は背面の斜視図、図３は背面底部からの斜視図であり再生モード時の姿勢も示している。
【０００９】
図において、１はデジタルカメラ本体であり、被写体を撮影するための撮影モードと、不図示のメモリーカードに記録された画像を再生表示するための再生モードを持っている。また、内部に不図示の姿勢検出手段を持ち、撮影された画像データに画像の縦横情報を付加する機能を持っている。２は撮影レンズ３を保持する鏡筒、４は低輝度時にオートフォーカスの動作を補助するための補助光の発光部である。５は撮影レンズ３のズーム動作を行わせるためのズームレバー、６は撮影動作を行わせるためのレリーズボタンである。
【００１０】
７はストロボであり、撮影レンズ３の上方に配置される。これは、撮影時に撮影レンズの下側でストロボを発光させるとストロボの影の出方が汚くなるからである。８はカメラを撮影モードで起動するための撮影用電源ボタンであり、デジタルカメラ１の上面でズームレバー５の横に配されている。カメラが電源ＯＦＦの状態で押されると、カメラが撮影モードで起動する。また、カメラが起動している場合はモードにかかわらずカメラの電源をＯＦＦする。９は不図示の電池およびメモリーカードの収納部のふたである。
【００１１】
１０はデジタルカメラ背面に配されたＬＣＤパネルによる画像表示用のディスプレイであり、撮影モード時にはファインダーとして撮影レンズ３を通して不図示の撮像素子で受光した被写体像と各種情報を表示する。
【００１２】
また、再生モード時にはメモリーカードに記録された画像を再生表示する。この際、画像データに画像の縦横を示すデータが付加されている場合は、不図示の姿勢検知手段によって、画像の表示方向を変更する。また、画像データに画像の縦横を示すデータが付加されていない場合、あるいはカメラが略水平に保持されている場合は図５に示すようにカメラの底面を上として画像を表示する。図４は撮影時の表示を示す。
【００１３】
１１乃至１６は撮影モード時に使用されるボタンであり、レリーズボタンを上にしてカメラを握る側、つまりは、撮影レンズ３に対してレリーズボタンが配置されている側の側面に配置されている。１１および１２はメニューを表示した際には選択項目を移動させたり、設定数値を変更するための送りボタンである。１３はストロボの発光モード（自動、強制発光、ストロボＯＦＦ）を設定するためのストロボボタン、１４はドライブモード（１駒撮影、連射、セルフタイマー）を切り替えるためのドライブボタン、１５はフォーカスモード（通常、マクロ,遠景）を切り替えるためのフォーカスボタン、１６は撮影用のＭＥＮＵ画面を呼び出すための撮影メニューボタンである。
【００１４】
１７は送りボタン１１，１２で選択された選択項目を決定するための撮影ＳＥＴボタンであり、ディスプレイ１０に対してレリーズボタン６と同じ側に配されている。この撮影ＳＥＴボタン１７は再生モード時はカメラを撮影モードに切り替えるモード切り替えボタンとされる。
【００１５】
２１乃至２６は再生モード時に使用するボタンであり、１１乃至１６のボタンとは反対の側面に配置されている。
【００１６】
２１および２２はズームボタンであり、画像を表示している際にボタン２１を押すと再生画像を拡大表示し、２２を押すと拡大された画像を縮小表示する。また、ＭＥＮＵ画面を表示させている際には、撮影モード時同様、選択項目を移動させる送りボタンとして機能する。
【００１７】
２３および２４は画像送りボタンであり、画像表示時にボタン２３を押すと前画面を、ボタン２４を押すと次画面を表示する。２１乃至２４のボタンは画面動作にあわせ、直感的に操作できるように十字に配置されている。
【００１８】
２５は画像消去ボタンであり、表示されている画像のデータをメモリーより消去する。２６は再生ＭＥＮＵ画面を呼び出すためのメニューボタンである。
【００１９】
２７はメニュー表示時にズームボタン２１,２２で選択された項目を決定するための再生ＳＥＴボタンであり、撮影ＳＥＴボタン１７とディスプレイ１０の中心に対して略対称の位置に配されている。この再生ＳＥＴボタン２７は撮影モード時はカメラを撮影モードに切り替えるモード切り替えボタンとなる。また、ボタン２８はカメラを再生モードで起動するための再生用電源ボタンであり、デジタルカメラ１の下面で、撮影用電源ボタン８と略対称の位置に配置される。カメラが電源ＯＦＦの状態で押されると、カメラを再生モードで起動する。また、カメラが起動している場合はモードにかかわらずカメラの電源をＯＦＦする。２９はカメラを三脚に固定するための三脚ねじである
このようなデジタルカメラにおいては、被写体を撮影する際には撮影用電源ボタン８を押してカメラを起動する。その際カメラを握って撮影用電源ボタン８を押せばすぐ横にズームレバー５およびレリーズボタン８が配されているので、そのまま撮影に入ることができる。また、その際にはレリーズボタンを押す側の手、すなわちカメラを握る手（本実施例においては右手）の側に撮影用の操作部材が配されている。
【００２０】
また、再生時には底面を上にして再生用電源ボタンを押してカメラを起動するが、再生用電源ボタンは撮影用電源ボタンと略対称の位置にあるため、撮影モード時と再生モード時は同じ手（本実施例では右手）でカメラを持つことになる。再生モード時に使用するボタンは撮影モード時に使用するボタンと反対側にあるため、どちらにおいてもカメラを保持する手（本実施例では右手）の側にあることになり、非常にわかりやすく、誤操作を防止できる。
【００２１】
本実施例においては、カメラの側面に操作ボタンを配置しているが、上面および下面に配置しても配置しても良い。
【００２２】
また、カメラの上面と下面の電源ボタンのどちらが押されたかで起動時の動作モードを決定しているが、カメラに内蔵された不図示の姿勢検出手段を用いてカメラの起動時の姿勢に応じて、起動時の動作モードを決定してもよい。
【図面の簡単な説明】
【００２３】
【図１】本実施例のデジタルカメラの正面斜視図。
【図２】本実施例のデジタルカメラの撮影モード時の背面斜視図。
【図３】本実施例のデジタルカメラの再生モード時の背面斜視図。
【図４】表示画面を示す図。
【図５】表示画面を示す図。
【符号の説明】
【００２４】
１  カメラ本体
２  鏡筒
３  撮影レンズ
４  補助光発光部
５  ズームレバー
６  レリーズボタン
７  ストロボ
８  撮影用電源ボタン
９  電池蓋
１０  ディスプレイ
１１、１２  送りボタン
１３  ストロボボタン
１４  ドライブボタン
１５  フォーカスボタン
１６  撮影メニューボタン
１７  撮影ＳＥＴボタン
２１，２２  ズームボタン
２３，２４  画像送りボタン
２５  画像消去ボタン
２６  再生メニューボタン
２７  再生ＳＥＴボタン
２８  再生用電源ボタン
２９  三脚ねじ
【図１】
2007329657.tif 000003
【図２】
2007329657.tif 000004
【図３】
2007329657.tif 000005
【図４】
2007329657.tif 000006
【図５】
2007329657.tif 000007